Podtech/llm-jp-corpus-v4-ja_patent huggingface dataset:
(57)【要約】【課題】三相交流電源を入力する装置において、前記三相交流電源が欠相になった場合に、欠相検出のための電気回路を使用せずに欠相を検出する手段を提供する。【解決手段】三相交流電源を入力する装置において、前記装置に内蔵された、前記三相交流電源の三相電圧を検出する検出器により検出された三相の電圧検出値を、前記装置に内蔵された演算処理器により三相−二相変換し有効電圧成分と無効電圧成分に分離し、前記無効電圧成分の変動から前記三相交流電源が欠相であるかを判定し欠相を検出する。【選択図】図１
2010032311.tif 000002
【特許請求の範囲】
【請求項１】
三相交流電源を入力する装置において、前記装置に内蔵された前記三相交流電源の三相電圧を検出する検出器より検出された三相の電圧検出値を、前記装置に内蔵された演算処理器により三相−二相変換し有効電圧成分と無効電圧成分に分離し、前記無効電圧成分の変動から前記三相交流電源が欠相状態にあるかを判定することを特徴とする欠相検出方法。
【発明の詳細な説明】
【技術分野】
【０００１】
本発明は三相交流電源を入力する装置に関わるものであり、入力される三相交流電源の欠相検出方法に関するものである。
【背景技術】
【０００２】
三相交流電源を入力する装置（以下単に装置という）において、前記三相交流電源のうちどれか一相が欠相状態となった場合（以下単に欠相という）、前記装置をそのまま運転継続することは危険であり、前記欠相を検出し前記装置を停止させる必要がある。前記欠相のまま運転を継続すると危険となる前記装置においては通常、前記欠相を検出する欠相検出回路がとりつけられており、前記欠相検出回路には前記欠相を検出するための電気回路が構成されている。前記欠相検出回路が前記欠相を検出した場合は、前記装置を停止させるよう構成されている。
【０００３】
図３は欠相検出回路を取り付けた三相交流電源を入力する従来の装置９の例であり、以下に図３を例に説明する。
【０００４】
三相交流電源１は装置９に接続されている。前記装置９の内部には欠相検出回路１０が内蔵されている。欠相検出回路１０の内部には前記三相交流電源１の欠相を検出するための電気回路が構成されている。前記三相交流電源１のうちどれか一相が欠相となった場合、前記欠相検出回路１０が前記欠相を検出し、前記装置９を停止させる装置停止信号６を出力し、前記装置９を停止させるように構成されている。
【０００５】
以上のように、装置に取り付けられる、三相交流電源の欠相を検出する欠相検出回路により、前記欠相を検出する事ができるが、前記欠相検出回路には前記欠相を検出するための電気回路の構成が必要となる。前記欠相を検出するための電気回路を構成するためには電気部品が多数必要となり、また回路構成も複雑なものとなってしまう。前記欠相検出回路の電気回路の構成については、例えば特開２００７−１７１８７号や特開２００５−２６１１５７号などで多数提案されている。（たとえば、特許文献１、２参照）
【特許文献１】特開２００７−１７１８７号
【特許文献２】特開２００５−２６１１５７号
【発明の開示】
【発明が解決しようとする課題】
【０００６】
以上の点に顧みて、本発明では欠相検出のための電気回路を使用せずに三相交流電源の欠相を検出する方法を提供するものである。
【課題を解決するための手段】
【０００７】
本発明は、三相交流電源を入力する装置において、前記装置に内蔵された、前記三相交流電源の三相電圧を検出する検出器により検出された三相の電圧検出値を、前記装置に内蔵された演算処理器により三相−二相変換し有効電圧成分と無効電圧成分に分離し、前記無効電圧成分の変動から前記三相交流電源が欠相であるか判定することを特徴とする。
【発明の効果】
【０００８】
本発明により、欠相検出のための電気回路を使用せずに三相交流電源の欠相を検出することが可能となる。
【発明を実施するための最良の形態】
【０００９】
図１は本発明の実施例であり、以下に図１を例にして説明する。
三相交流電源１は本発明による三相交流電源を入力する装置２に接続されていて、前記装置２の内部には三相電圧検出器３と演算処理器５が内蔵されている。
【実施例】
【００１０】
前記三相交流電源１の電圧は前記三相電圧検出器３により検出され、検出された三相電圧検出信号４は演算処理器５へと入力される。前記演算処理器５は、入力された前記三相電圧検出信号４を前記三相交流電源１の周波数に同期したサンプリングで図２に示すように三相−二相変換し、有効電圧成分７と無効電圧成分８を得る。
【００１１】
前記三相交流電源１が正常な場合、前記無効電圧成分８の値は各サンプリング毎に大きく変化せず、毎回ほぼ一定の値となる。
【００１２】
前記三相交流電源１のうちどれか一相が欠相となった場合、前記三相電圧検出器３からの出力である前記三相電圧検出信号４は、前記欠相である相の検出信号の値が０となり、前記演算処理器５により三相−二相変換し得られる前記無効電圧成分８の値は正常時からは大きく変動する。演算処理器５はこの前記無効電圧成分８の値の変動をもって前記三相交流電源１が前記欠相であると判断し、前記演算処理器５は前記装置２を停止させる装置停止信号６を出力し前記装置２を停止させる。
【産業上の利用可能性】
【００１３】
以上により、欠相検出のための電気回路を使用せずに、三相交流電源の欠相を検出することが可能となり、三相交流電源を入力する装置の簡素化、小型化、保守の簡素化が可能となる。
【図面の簡単な説明】
【００１４】
【図１】請求項１の実施方法を示した説明図。（実施例）
【図２】三相−二相変換の説明図。
【図３】従来の三相交流電源を入力する装置の説明図。
【符号の説明】
【００１５】
１    三相交流電源
２    本発明による三相交流電源を入力する装置
３    三相電圧検出器
４    三相電圧検出信号
５    演算処理器
６    装置停止信号
７    有効電圧成分
８    無効電圧成分
９    従来の三相交流電源を入力する装置
１０    欠相検出回路
【図１】
2010032311.tif 000003
【図２】
2010032311.tif 000004
【図３】
2010032311.tif 000005
(57)【要約】【課題】従来の接合方法において、同一の分子構造を持つ部材同士が一般的で、異種材料の部材同士を接合する場合、接合部材として金属類や繊維類や接着剤を使用したものが利用されており、異種材料の部材同士を接合する場合などは、接合部材として金属類や繊維類を使用した場合はコストがかかる。接着剤を使用した場合、コストは安いが接合強度が低い。【解決手段】本発明は上記目的を達成するために、異種材料の部材同士を接合する場合、接合部材として、補助粘着及び補助接着を生じる材料からなる中間材を配し、中間材と部材を適宜溶着手段を用いて、分子レベルで接合させることを特徴とする。【選択図】図１
2010018015.tif 000002
【特許請求の範囲】
【請求項１】
分子構造の異なる被接合部材と被接合部材の間に、補助粘着及び補助接着を生じる材料からなる中間材を配し、この中間材と被接合部材を適宜溶着手段を用いて分子レベルで接合させることを特徴とする異種材料の接合構造。
【発明の詳細な説明】
【技術分野】
【０００１】本発明は、分子構造の異なる部材同士を容易に接合できる接合構造に関する。
【背景技術】
【０００２】従来の接合方法において、同一の分子構造を持つ部材同士が一般的で、異種材料の部材同士を接合する場合、接合部材として金属類や繊維類や接着剤が使用されている（例えば、特許文献１参照）【０００３】特許文献１の内容においては、特定の部材同士のみを溶着させる方法である。
【特許文献１】特許公報（Ｂ−２）第２９９２８０７号
【発明の開示】
【発明が解決しようとする課題】
【０００４】上記に述べた従来の接合方法では、異種材料の部材同士を接合する場合、接合部材として金属類や繊維類を使用した場合はコストがかかる。接着剤を使用した場合、コストは安いが接合強度が低い。
【課題を解決するための手段】
【０００５】そして、本発明は上記目的を達成するために、異種材料の部材同士を接合する場合、接合部材として、補助粘着及び補助接着を生じる材料からなる中間材を配し、中間材と部材を適宜溶着手段を用いて、分子レベルで接合させることを特徴とする。
【発明の効果】
【０００６】本発明は、以上説明したような構成の通りであり、補助粘着及び補助接着を生じる材料からなる中間材は容易に製造できるため低コストであり、異種材料の部材同士を容易にできるため更に低コストである。また、異種材料の部材と接合部材を分子レベルで接合する事により、接着剤を使用して接合する場合よりも接合強度が高くなる。
【発明を実施するための最良の形態】
【０００７】以下、本発明の実施の形態を図１に基づいて説明する。【０００８】図において、被接合部材１は、異種材料の一部であり接合する際に基材となる部材である。【０００９】図において、被接合部材２は、被接合部材１と分子構造の異なる部材であり、接合する際に被接合部材１に対する被着部材である。【００１０】図において、中間材３は被接合部材１に対して補助粘着及び補助接着を生じる樹脂構造を持ち、４は補助粘着及び補助接着を生じている部分であり、被接合部材２の材質が変わる際中間材３はその被接合部材２が持つ分子構造と同じ材質の組み合わせとなる。例えば、被接合部材１が鉄であり、被接合部材２がポリプロピレン（ＰＰ）の場合、中間材３はポリプロピレン（ＰＰ）と同一の分子構造となる。【００１１】中間材３は被接合部材２と同じ分子構造の組み合わせで構成されており、材質によって異なる溶着手段を選択する。例えば、中間材３がポリプロピレン（ＰＰ）の場合、この中間材と被接合部材２を溶着する手段は超音波溶着や熱板溶着あるいはインパルス溶着があり、材質をポリ塩化ビニル（ＰＶＣ）にした場合は高周波溶着を選択する。また、ポリエチレンテレフタラート（ＰＥＴ）は超音波溶着、ポリエチレン（ＰＥ）は熱板溶着及びインパルス溶着を選択する。【００１２】図において、溶着部分５は、接合したい樹脂部材が熱可塑性であれば、樹脂の融点を超えるまで昇温し圧力を加えることにより分子レベルで結合させる技術方法であり、溶着手段は部材を昇温する方法によって、超音波溶着、高周波溶着、熱板溶着、インパルス溶着などがある。
【図面の簡単な説明】
【００１３】
【図１】本発明の実施形態を示す接合構造
【符号の説明】
【００１４】１  被接合部材
２  被接合部材
３  中間材
４  補助粘着及び補助接着を生じている部分
５  溶着部分
【図１】
2010018015.tif 000003
(57)【要約】【課題】  スクーター、シャフトドライブ等の駆動装置がジョイント等を介さずにスイングアームに接続される二輪車、ないし、スイングアームの車体側ピボット部と同軸にドライブスプロケットやドライブプーリーが配置された駆動系を持つ自動二輪車においては、アンチスクワットが発生しないことにより、走行安定性を欠く問題があった。【解決手段】  駆動力をフレーム側に逃がすことで、沈ませる力に対抗する反力を発生させることができる。  具体的には、スイングアームの回転方向から垂直にずらした任意の位置に、１つの関節を持つリンクを車体と結ぶ、ないし回転しうる構造のエキセントリックシャフトと車体剛体で結ぶこと。【選択図】図２
2010018260.tif 000002
【特許請求の範囲】
【請求項１】
スイングアームの上下方向側どちらかに設置された支点と、フレーム側の支点及びスイングアーム側の支点とフレーム側の支点を接続する機構（機構は図２、図３を参照のこと）
【発明の詳細な説明】
【技術分野】
【０００１】  本発明は、自動二輪車のうち、スイングアームにジョイント類を介さずに駆動装置が内蔵されるもの、ないしスイングアームの車体側ビポット部と同軸にドライブスプロケットが配置され、構造的にアンチスクワット（下向き駆動力）が発生しない自動二輪車のスイングアームにアンチスクワット（下向き駆動力）を発生するための機構である。
【背景技術】
【０００２】  調査不足のため、記載せず。
【発明の開示】
【発明が解決しようとする課題】
【０００３】  スクーター、シャフトドライブ等の駆動装置がジョイント等を介さずにスイングアームに接続される（スイングアームと駆動装置が一体化し、フレームに接続される）二輪車、ないし、スイングアームの車体側ピボット部と同軸にドライブスプロケットやドライブプーリーが配置され、構造的にアンチスクワット（以下、下向き駆動力）が発生しない駆動系（以下、固定駆動系）を持つ自動二輪車においては、アンチスクワットが発生せず、アクセルオンオフでの車体姿勢の制御が行いにくい問題があった。
本発明では、通常の二輪車で利用されているチェーンドライブのようにアクセルオンオフでアンチスクワットを発生させ、車体姿勢の制御を可能にする。
【課題を解決するための手段】
【０００４】  固定駆動系を持つスイングアームに発生する駆動力は、スイングアームを上向きに回転させ、アクセルを開けた時に後輪を沈ませる。このとき、図１のように駆動力をフレーム側に逃がすことで、沈ませる力に対抗する反力を発生させることができる。
本装置は、スイングアームと、取り付ける２つの支点を結ぶ直線の角度がポイントとなる。
・スイングアーム及び、リンク取り付け位置及び車体側の取り付け位置を結ぶ直線は、    リンクをスイングアームに対して上側に取り付ける際は、スイングアームの下向き角    度に対してより緩く、並行に近くなるよう設定する。
・スイングアームに対して下側に取り付ける際は、逆に、スイングアームの下向き角度    に対してよりきつく、垂直に近くなるよう設定する。
ただし、当然ながら、単に直線的に結ぶだけでは、スイングアームの上下動を妨げる。よって、以下の方法で上下動を妨げないこととする。
具体的には、スイングアームの回転方向から垂直にずらした任意の位置に、１つの関節を持つリンクを車体と結ぶこと（図２）、ないし回転しうる構造のエキセントリックシャフトと車体剛体で結ぶことで（図３）リンクは１つの関節（ないしエキセントリック機構で支点をずらすこと）を持たせる。
このことでスイングアームの上下動を妨げることなく、下向き駆動力を発生させることができる。また、スイングアーム取り付け支点を上下ないし、車体側の取り付け支点を上下させることで、下向き駆動力の強弱をつけることができる。
【発明の効果】
【０００５】  通常の二輪車で利用されているチェーンドライブのようにアクセルオンオフでアンチスクワットを発生させ、車体姿勢の制御を可能にする。
特にスクーターの場合、アクセルを開けたときに後輪が突っ張り、急発進時のウイリー防止、安定性向上が可能になる。
【発明を実施するための最良の形態】
【０００６】  図２及び図３を参照のこと。
【実施例】
【０００７】  スクーター、及びドリブンギアがスイングアームと一体化したオートバイの駆動系に取り付ける。
【産業上の利用可能性】
【０００８】  シャフトドライブのオートバイ、スクーターにおける走行時の安定性向上。
【図面の簡単な説明】
【０００９】
【図１】  下向き駆動力の発生原理を示すオートバイを側面からみた平面の模式図である。スイングアームに対して、下向き駆動力を発生するためには、突っ張り力をスイングアームに対して角度をつけ、突っ張り力をスイングアームに対して平行な力と垂直な力に分解できるようにする
【図２】  スイングアームに本機構を取り付けた場合の例示であり、オートバイを側面からみた平面の模式図である。フレーム側の支点（＊１）とスイングアーム側の支点（＊２）を１つの間接を持つリンクで接続する。
【図３】  オートバイを側面からみた平面の模式図である。フレーム側の支点（＊１）とスイングアーム側に取り付けられたエキセントリック機構（＊２）をロッドで接続する。エキセントリック機構は内コロベアリング等で支持され、回転する。外円に対して偏心された支点はスイングアームの上下に従い回転し、距離を調整する。
【図１】
2010018260.tif 000003
【図２】
2010018260.tif 000004
【図３】
2010018260.tif 000005
(57)【要約】【課題】  従来の手袋は、使用中常にブカブカとしたダブついた感じと指先のゴワついた感じに悩まされてきた。手と手袋の間のスペースがあるためである。【解決手段】  ゴムを使い、手首と中指根元の両方向に引っ張られた状態にすることにより指股、指先の隙間がなくなり手にフィットして使いやすくなる。ゴムを、手袋着脱時に取り外しすることにより、手と手袋の間に余裕ができ着脱が容易にできる。【選択図】図１
2010018932.tif 000002
【特許請求の範囲】
【請求項１】
（イ）ゴム３を設け、手首２から出たゴム３を手の甲側から中指根元に、掛け外し出来ることを特徴とする手袋。
（ロ）ゴム３に手の甲で絞り４を設けたことを特徴とする手袋。
（ハ）ゴム３の先端につまみ５を設けたことを特徴とする手袋。
（ニ）手首２に接着部６を設け、ゴム３を接着させたことを特徴とする手袋。
【発明の詳細な説明】
【技術分野】
【０００１】  本発明は、手と手袋をフィットさせる方法に関する。
【背景技術】
【０００２】  従来の技術は、使用中常にブカブカとしたダブついた感じに悩まされてきた。これにより手袋のずれが生じ使用中何度も手袋を手繰りあげなければならない。
また、指先の作業においては指先が折れゴワついた感じとなりとてもわずらわしいものであった。
特に家事用手袋、作業者用手袋、薄手のビニール手袋においては上記のような状態が如実に表れていた。
【発明の開示】
【発明が解決しようとする課題】
【０００３】  従って各メーカーとも、手首に工夫を加え、絞った形にする・マジックテープを付ける・伸縮性のあるジャージ素材を付けるなどしてきた。しかし、ブカブカとしたダブついた感じやゴワついた感じは解決できておらず使用者の意図とする商品はいまだにない。
そこで、この発明は、手に手袋をフィットさせダブつき感ゴワつき感をなくし、使用しやすい手袋を提供することを課題とする。
【課題を解決するための手段】
【０００４】  以上の課題を解決するために、第一発明は、手袋の手首部にゴム３を設け手袋着脱時に中指で掛け外し出来ることを特徴とする手袋である。
第二発明は、ゴム３に手の甲で絞り４を設けたことを特徴とする手袋である。
第三発明は、ゴム３の先端につまみ５を設けたことを特徴とする手袋である。
第四発明は、ゴム３に手首２の手のひら側で接着部６を設けたことを特徴とする手袋である。
【発明の効果】
【０００５】  第一発明によれば、ゴム３で手首と中指根元両方向に引っ張られることにより指股、指先の隙間がなくなり手にフィットしてくる。指先の作業も容易である。
ゴム３を、中指から外した状態で手袋を着脱することにより手と手袋の間に余裕ができ着脱が容易である。
第二発明によれば、絞り４を設けたことでゴム３が親指側、小指側両方向へずれ落ちるのを防げる。
第三発明によれば、つまみ５を設けたことで、中指根元に食い込んだゴム３が取り出しやすい。
第四発明によれば、接着部６によりゴム３が手の平側へずれ落ちるのを防げる。また、  手袋１とゴム３が離れないので収納管理しやすい。
【発明を実施するための最良の形態】
【０００６】  ゴム３で手首２と中指根元が引き合うこと。
手袋着脱時にゴム３の掛け外しが出来ること。
ゴム３の先端につまみ部５があること。
手袋１とゴム３は手首２の手のひら側で接着部６があること。
「実施形態の効果」
この実施形態によれば、手首２方向と中指の根元両方向にゴム３で引き合うので手と手袋がフィットしてくる。
ゴム３は、中指に掛け外し出来ることにより、使用中は手にフィットしているのに着脱は容易である。
つまみ５により中指根元に食い込んだゴム３が取り出しやすい。
接着部６によりゴム３が手首２から手のひら側にずれ落ちるのを防げる。
手袋１とゴム３が離れないので収納管理しやすい。
「他の実施形態」【０００７】  図１の実施形態では、絞り４にあたる部分でゴム３を交差させてから中指に掛けてもよい。
【図面の簡単な説明】
【０００８】
【図１】本発明の手の甲側斜視図
【図２】本発明の手のひら側斜視図
【符号の説明】
【０００９】    １手袋
２手首
３ゴム
４絞り
５つまみ
６接着部
【図１】
2010018932.tif 000003
【図２】
2010018932.tif 000004
(57)【要約】      （修正有）【課題】洗濯、乾燥、収納する時に一対にするのに時簡がかかったり、ミスマッチという現象を防ぐ金具を付けた一対でなる衣類、特に、靴下や婦人用ストッキングを提供する。【解決手段】左右靴下のそれぞれの足入れ口の内側にスナップボタンの凸型３と凹型４を複数個所持ち、左右のスナップボタンは左に凸型、右に凹型のみにすることにより、目で確認しなくても留合わせることができ、再度着用する時には左右靴下は必ず一対になる。【選択図】図１
2010018940.tif 000002
【特許請求の範囲】
【請求項１】
洗濯、収納時に別々にならないように合わせやすくする金具をつけた靴下や婦人用ストッキング等の衣類を提供する。左右靴下のそれぞれの足入れ口の内側にスナップボタンの凸型と凹型を複数個所持つ。左右のスナップボタンは左に凸型、右に凹型のみにすると目で確認しなくても留合わせることができる。左右両方の靴下を脱いだらそれぞれの上端を折り返し、とり付けてあるスナップボタンの凸型と凹型を留合わせる。洗濯、洗濯干し、収納ケースで保管、取り出し着用までの間、一対になっている。スナップボタンは複数個所にとり付けられているため使用頻度が分散され上端の弛み、スナップボタンの千切れが緩和される。スナップボタンの間隔を狭めて、複数個所の留合わせが同時にできて、一か所留合わせより強度がでる。
【請求項２】
スナップボタンは金具留、糸留の両タイプの仕様を用いてもよいが、外観を重視するのであれば糸留タイプを使用し表面に刺繍柄をつくり、その内側面にスナップボタンを縫い付けるとスナップボタンの痕跡がわからない。同時に縫い付け部分の強度を増進することができる。また、刺繍柄をつくらないのであれば、スナップボタンを縫い付ける部分に補強布を敷くことで強度は確保できる。
【発明の詳細な説明】
【技術分野】
【０００１】
本発明は、靴下や婦人用ストッキング等のように一対でなる衣類に関するものである。
【背景技術】
【０００２】
現在、靴下や婦人ストッキング等の衣類は一対で使用するにも関わらず、脱いで洗濯したら大きさ、色が似通っているため、改めて一対にセットする時に時間がかかり、またミスマッチさせることがよくある。
【０００３】
この改善策として、靴下や婦人用ストッキングを脱いだ時点で、左右両方の上端を外側にめくり、内面につけられたスナップボタンを留め合わせて、洗濯、乾燥、収納しておけば再度履くときには必ず一対になっている。
【発明の開示】
【発明が解決しようとする課題】
【０００４】
この発明は、一対で使用する衣類、特に靴下や婦人用ストッキング等で、数が多く、大きさ、色、材質が似ているものはいったん切り離すと再び同じ物の一対にするのに時間がかかり、また、ミスマッチすることが多いという課題を解決するものである。
【課題を解決するための手段】
【０００５】
靴下や婦人用ストッキングの足入れ口の内側に複数のスナップボタンをつける。
【発明の効果】
【０００６】
脱いだら直ぐスナップボタンを留合わせれば済むため非常に簡単で内面にとり付けてあるため着用時にはスナップボタンの痕跡が目立たない。
【発明を実施するための最良の形態】
【０００７】
例えば靴下に例をとると、左右靴下の足入れ口の内側にそれぞれに複数個のスナップボタンをつける。左に凸型、右に凹型のみにすると目で確認しなくても留合わせることができる。スナップボタンの固定部分に刺繍絵柄を施すと外観からはスナップボタンの痕跡を確認できない。補強するだけであればスナップボタンのとり付け部分に補強用布をスナップボタンと靴下の間に敷く。
【実施例１】
【０００８】
図1は、靴下の足の入れ口の内側にスナップボタンを付けたところである。
【実施例２】
【０００９】
図2は、靴下に刺繍柄を施し、その内面にスナップボタンをとり付けたところである。
【産業上の利用可能性】
【００１０】
一対において利用可能性のあるもので大きさ、材質、色が似ているものを解体し再びつなぎ合わせて利用するもの全般に基本的に応用できる。
【図面の簡単な説明】
【００１１】
【図１】靴下の傾斜図である（実施例1）
【００１２】
【図２】刺繍柄とそこにスナップボタンをとり付けたところの断面図である（実施例2）
【符号の説明】
【００１３】
1．靴下右
2．靴下左
3．スナップボタン凸型
4．スナップボタン凹型
5．上端
6．補強布
7．刺繍柄
【図１】
2010018940.tif 000003
【図２】
2010018940.tif 000004
(57)【要約】【課題】  本発明は服の衿を身頃から取り外しできるようにし、それがよだれかけの役も果たすおしゃれなよだれかけ兼用衿を提供する。【解決手段】  服から取り外しできる衿であって、その衿付け縫い代６に差込み用布３が縫い付けられていて衿前部裏側と前身頃表側を留める部品７で留め、差込み用の布３で身頃と肌着の衿ぐりを覆いかぶせ肌着の内側と体の間に差し入れはさんで使うよだれかけ兼用衿である。【選択図】図１
2010018937.tif 000002
【特許請求の範囲】
【請求項１】
衿の衿付け縫い代に差込み用布を縫い付け、後ろでつき合わせにし、衿前部裏側と前身頃表側を留め具で留め、はさんで使う、取り外しのできるよだれかけ兼用衿。
【発明の詳細な説明】
【技術分野】
【０００１】  本発明は服の衿を身頃より取り外しできるようにし、よだれかけの役も果たせるようにしたよだれかけ兼用衿に関する。
【背景技術】
【０００２】  従来のよだれかけはほとんどが後部で留めるようになっている。【０００３】  乳幼児服や介護服等、よだれかけを必要とする時の服の衿ぐり一周と肌着の内側、一番汚れを防ぎたい所のカバーが、従来のよだれかけでは不十分である。【０００４】  よだれかけを必要とするときの服と、よだれかけが、それぞれ別の製品として作られている。
【発明の開示】
【発明が解決しようとする課題】
【０００５】  上述のごとく、従来のよだれかけはほとんど後部で留めるようになっている。乳幼児、要介護の方は横に寝ている状態のときが多く、特に乳幼児は首がすわるまでは、抱いた時も頭、首の後部を手腕で支えていなければならない。他にチャイルドシート、ベビーカー、バウンサー等乳幼児の後部は常に何かでふさがれている状態が多い。このような状況でよだれかけの留め具が後ろ側、また前側にあるとしても、ぐるりと後ろより廻して前で留めるのは非常に取り扱いが厄介である。
また、横になっている状態で、口から出たよだれ、ミルク等はほとんど頬、首を伝って下に流れ、服、肌着の衿ぐり周りに吸収されてしまう。一番汚れを防ぎたい服、肌着の衿ぐり周りが十分カバーされていないため、手間のかかる着替えの回数、それに伴って洗濯の量を増やす原因になっている。
さらに、乳幼児や介護服等よだれかけを必要とするときの服とよだれかけがそれぞれ別の製品として作られているため、ほとんどコーディネートされておらずファッショナブルでない。特に大人の要介護の方のよだれかけが目立っていると見た目が悪く、配慮にも欠ける。本発明はこれらの問題を解決するためになされたものである。
【課題を解決するための手段】
【０００６】  前述の課題を解決する本発明は、衿の衿付け縫い代に差込み用布を縫い付け、後ろでつき合わせにし、衿前部裏側と前身頃表側を留め具で留め、衿ぐりをはさんで使う、取り外しのできる、よだれかけ兼用衿である。
【発明の効果】
【０００７】  従来のよだれかけはほとんど後部で留めるようになっているが、乳幼児、要介護の方は、頭、首の後方は何かにふさがれている状態が多いため取り扱いが厄介であった。本発明のよだれかけ兼用衿は前身頃で留められ、後ろでつき合わせになって身頃をはさんでいるので、片手で簡単にはずし、引き抜くことが出来る。装着するときもまず前で留めた後、左右衿ぐりにそってはさみ込むだけなので片手でもできる。
上着、肌着の衿ぐり全体を衿ではさんで覆い、衿の裏側に防水性の布をつけるので一番濡れ、汚れを防ぎたい所をほぼ完全にカバーすることができる。
最初から服の一部として作られているので、服とコーディネートされているし、衿の形もＶ形、長方形、セーラーカラー形、ショールカラー形等色々考えられ、サイズも大きめにすれば食事用にも使える。外出時、衿のスペアーを用意することにより、外でも簡単に使え、ファッションも楽しむことができる。特に大人の要介護の方もそのまま衿がついた状態でベッドから出ても見た目もよく、配慮されている。
【本発明を実施するための最良の形態】
【０００８】  本発明の実施の形態について説明する。図１は本発明の装着状態の斜視図で、衿は身頃からはずれた状態になっていて、後ろでつき合わせになっている。図２、図３、図４、図５は本発明の分解正面図である。使用する生地は表地として吸収性のよい生地、裏地として防水性のよい生地が適している。表衿１の衿幅は、デザイン用途により異なるが、差込み用布の幅は５〜６ｃｍ位でよい。まず、表衿１の衿付け縫い代６と表差込み用布３の衿付け縫い代６を合わせて縫う。裏衿８の衿付け縫い代６と裏差込み用布９の衿付け縫い代６を合わせて縫う。表差込み用布が縫い付けられた表衿と裏差込み用布が縫い付けられた裏衿を衿付け縫い代６の所で閉じて表衿と裏衿がずれないようにする。これで４枚の布（図２、図３、図４、図５）が衿付け縫い代部分で１つになる。表衿１と裏衿５を一緒に合わせ外周２をぐるりとパイピング、端ミシン、スカラップ等の方法で始末する。同様に表差込み用布と裏差込み用布も一緒に合わせて外周４を始末する。衿の裏側と図８の服前身頃に留め具７を位置に合わせてつける。留め具は面ファスナー、ハトメ、ひも等があるが、面ファスナーを２〜３ｃｍ２つけると扱いが簡単である。
次に本発明の装着方法について説明する。まず、服の第１ボタンを外したままにして、差込みやすくしておく。次に、留め具７で表衿の前と身頃の前を留め、差込み用布３を服と肌着の衿ぐり１０を覆いかぶせて肌着の内側と体の間に差し込む。最後に第１ボタンを留め装着完了である。
【図面の簡単な説明】
【０００９】
【図１】  本発明の外観斜視図
【図２】  本発明の表衿分解平面図
【図３】  本発明の表差込み用布分解平面図
【図４】  本発明の裏衿分解平面図
【図５】  本発明の裏差込み用布分解平面図
【図６】  本発明の衿正面図
【図７】  本発明の身頃の留め具正面図
【図８】  本発明の衣服に装着時の正面図
【符合の説明】
【００１０】１  表衿
２  衿の外周
３  差込み用布
４  差込み用布の外周
５  衿付け縫い代
６  衿付け線
７  留め具
８  裏衿
９  裏差込み用布
１０  衿ぐり
【図１】
2010018937.tif 000003
【図２】
2010018937.tif 000004
【図３】
2010018937.tif 000005
【図４】
2010018937.tif 000006
【図５】
2010018937.tif 000007
【図６】
2010018937.tif 000008
【図７】
2010018937.tif 000009
【図８】
2010018937.tif 000010
(57)【要約】【課題】  本発明は、発熱時などに頭部の広範囲を冷却できるように工夫した頭部用冷却パッドに関するもので、折りたたみ自在な平面の保冷部に、頭部などの球体を包み込むように固定するための結合部を設けたことを特徴とする、頭部用冷却パッドを提供する。【解決手段】  やや中央に凹部を設けた本体（１）を頭頂部保冷部（２）と後頭部保冷部（５）に分け、その本体（１）の内側面には、保冷剤（６）を出し入れ可能に収める保冷剤ポケット（８）を数個設け、本体（１）には頭頂部面ファスナー（３）と、後頭部面ファスナー（４）をそれぞれ左右端に２ヵ所設け、右側の頭頂部面ファスナー（３）と後頭部面ファスナー（４）が接合可能に、左側も同様に接合可能に設けたことを特徴とする頭部用冷却パッド。【選択図】図１
2010018935.tif 000002
【特許請求の範囲】
【請求項１】
やや中央に凹部を設けた本体（１）を頭頂部保冷部（２）と後頭部保冷部（５）に分け、その本体（１）の内側面には、保冷剤（６）を出し入れ可能に収める保冷剤ポケット（８）を数個設け、本体（１）には頭頂部面ファスナー（３）と、後頭部面ファスナー（４）をそれぞれ左右端に２ヵ所設け、右側の頭頂部面ファスナー（３）と後頭部面ファスナー（４）が接合可能に、左側も同様に接合可能に設けたことを特徴とする頭部用冷却パッド。
【発明の詳細な説明】
【技術分野】
【０００１】  本発明は、発熱時などに頭部の広範囲を冷却できるように工夫した頭部用冷却パッドに関するもので、折りたたみ自在な平面の保冷部に、頭部などの球体を包み込むように固定するための結合部を設けたことを特徴とする、頭部用冷却パッドである。
【背景技術】
【０００２】  従来、頭部を冷却するのには、枕型の冷却剤、額などに乗せて使用する氷嚢、貼るタイプの冷却シート、頭部の一部を冷却するバンドタイプのものであった。
【発明の開示】
【発明が解決しようとする課題】
【０００３】  そのために、以下のような場合には不便であった。
（イ）枕型の冷却剤は、後頭部しか冷やすことができない。
（ロ）氷嚢は額にのせたり、部分的に冷やすので、手でずっと押さえたりしなければなら    ない。
（ハ）シートタイプのものは、髪の毛がある場所は冷やすことができない。
（ニ）バンドがついているタイプのものは、バンド部分で締め付けなければならないし、    動くとずれてしまうことがあった。
（ホ）枕型は上体を起こしているときに冷やすことができなかった。
本発明は、これらの題点を解決するためになされたものである。
【課題を解決するための手段】
【０００４】  やや中央に凹部を設けた本体（１）を頭頂部保冷部（２）と後頭部保冷部（５）に分け、その本体（１）の内側面には、保冷剤（６）を出し入れ可能に収める保冷剤ポケット（８）を数個設け、本体（１）には頭頂部面ファスナー（３）と、後頭部面ファスナー（４）をそれぞれ左右端に２ヵ所設け、右側の頭頂部面ファスナー（３）と後頭部面ファスナー（４）が接合可能に、左側も同様に接合可能に設ける。
以上のように構成された頭部用冷却パッドである。
【発明の効果】
【０００５】  本発明品は発熱時、暑い時など、顔以外の頭部全体を冷却することができる。また、打ち身の時などは、冷やしたい場所の保冷剤ポケットのみに保冷剤をセットできる。
寝ている人にも簡単に頭部に装着することができる。小さな保冷剤を数個使うので、冷凍庫などでは隙間などに入れられる。
【発明を実施するための最良の形態】
【０００６】  以下、本発明の実施の形態について説明する。
やや中央に凹部を設けた本体（１）は、頭頂部を覆うための頭頂部保冷部（２）と後頭部を覆うための後頭部保冷部（５）に分ける。
本体（１）の内側面に通気性のよい素材で保冷剤ポケット（８）を数個設ける。
本体（１）に頭頂部面ファスナー（３）と後頭部面ファスナー（４）をそれぞれ左右端に２ヵ所設け、右側の頭頂部面ファスナー（３）と後頭部面ファスナー（４）が接合可能に、左側も同様に接合可能に設ける。
以上のように構成された頭部用冷却パッドである。
本体（１）は、やや中央に凹部を設けた形状をしており、頭部（９）を本体（１）で包むように装着したときに、本体（１）の内側の各保冷剤ポケット（８）同士が重ならない形状に展開した形である。
本体（１）には頭頂部面ファスナー（３）と後頭部面ファスナー（４）をそれぞれ左右端に２ヵ所設け、右側の頭頂部面ファスナー（３）と後頭部面ファスナー（４）が接合可能に、左側も同様に接合可能に設け、顔を除く頭部を立体的に覆うことができる。
本発明品は数個の保冷剤ポケット（８）を有しており、その中に保冷剤入り口（７）から出し入れ可能に保冷剤（６）を挿入する。本体（１）は平面な状態なので、寝ている人の頭の下に入れることが容易であり、また保冷剤ポケット（８）ごとの縁では折り曲げ自在になるので、頭頂部保冷部（２）を折り上げ、左右の面ファスナーで接合し、頭部（９）に装着することができる。
また、上体を起こしている場合にもずれることなく頭部に装着されている。
保冷剤（６）を痛めている場所にだけあたるように挿入すれば、部分的に冷やすこともできる。
本発明品は、保冷剤（６）を取り外し、洗うこともできるので、衛生的である。
頭頂部面ファスナー（３）と後頭部面ファスナー（４）は、接合できる素材であれば、面ファスナーに限定しない。
【図面の簡単な説明】
【０００７】
【図１】  本発明の保冷部側から見た上面図である。
【図２】  本発明の上面図である。
【図３】  本発明の使用状態を示した側面図である。
【図４】  本発明の使用状態を示した正面図である。
【符号の説明】
【０００８】１  本体
２  頭頂部保冷部
３  頭頂部面ファスナー
４  後頭部面ファスナー
５  後頭部保冷部
６  保冷剤
７  保冷剤入れ口
８  保冷剤ポケット
９  頭部
【図１】
2010018935.tif 000003
【図２】
2010018935.tif 000004
【図３】
2010018935.tif 000005
【図４】
2010018935.tif 000006
(57)【要約】      （修正有）【課題】従来のシールは、ゴルフプレイ時のウェアの汚れ防止を目的としたものは無かった。【解決手段】ゴルフプレイ時のウェアの肩部に貼る事により、スウィング時に付着する化粧品等の汚れを防止する事ができる。【選択図】図１
2010018936.tif 000002
【特許請求の範囲】
【請求項１】
ゴルフプレイ時、ウェアの肩部に化粧品等の汚れが付着しないように貼るシール。
【請求項２】
ゴルフプレイ時、ウェアの肩部に化粧品等の汚れが付着しないように貼る透明な請求項１記載のシール。
【請求項３】
ゴルフプレイ時、ウェアの肩部に化粧品等の汚れが付着しないように貼るミシン目が入って切断可能な請求項１記載のシール。
【請求項４】
ゴルフプレイ時、ウェアの肩部に化粧品等の汚れが付着しないように貼る絵柄の入った請求項１記載のシール。
【発明の詳細な説明】
【技術分野】
【０００１】  本発明は、ゴルフをプレイする時にウェアに対する化粧品の付着を防止するシールに関する。
【背景技術】
【０００２】  従来のシールは装飾目的や物質をくっつける機能をもったものがある。
【発明の開示】
【発明が解決しようとする課題】
【０００３】  従来のシールでは装飾や物質をくっつけるという機能に限られていた為、それをウェアの防汚として使用する事は出来なかった。【０００４】  本発明はこの様な従来のシールには無かった汚れ防止としての機能を付加する事により、ゴルフのプレイヤーにウェアの汚れを防ぐ機会を提供する事を目的とするものである。
【課題を解決するための手段】
【０００５】  そして本発明は上記目的を達成する為に、シールをウェアの肩部に貼る事により、スウィング時に顔面との接触を防ぐ様にしたものである。
【発明の効果】
【０００６】  上述したように本発明のシールは装飾や物質をくっつける機能としてだけでなく、シールをウェアに貼ることによりゴルフのプレイヤーにウェアの汚れを防止する機会を提供出来る。
【発明を実施するための最良の形態】
【０００７】  以下、本発明の実施の形態を図１〜図３に基づいて説明する。【０００８】  図においては、１はシール本体である。２はウェアを着たゴルフプレイヤーの肩である。
【実施例】
【０００９】  ２のウェアの肩部に１のシールを貼る。
【図面の簡単な説明】
【００１０】
【図１】  シールの上面図
【図２】  別の形状のシールの上面図
【図３】  シール使用図
【符号の説明】
【００１１】  １      シール
２      肩部
【図１】
2010018936.tif 000003
【図２】
2010018936.tif 000004
【図３】
2010018936.tif 000005
(57)【要約】【課題】夏用洋服上着は、薄手の生地を着用しても体熱の放出が生地そのものと首周りの隙間のみで涼感を得る効果に難点があったが、上着生地内面と肌面の隙間に生ずる体熱を利用した自然循環吸排気を取入れた涼風仕立上着を提供する。【解決手段】夏用洋服上着の肩首周り部分（１）と腰周り部分（２）の一定部分をメッシュ生地に置換えたことを特徴とする。【選択図】図１
2010018938.tif 000002
【特許請求の範囲】
【請求項１】
夏用の洋服上着の肩首と腰周りの一定部分に、メッシュ生地部分を設けて着用することを特徴とする洋服上着。
【発明の詳細な説明】
【技術分野】
【０００１】  本発明は、夏用上着洋服の肩首部分及び腰周り部分生地の一定部分を、メッシュ生地に置換え縫製仕上げした夏用の洋服に関するものである。
【背景技術】
【０００２】  夏に着用する洋服上着は，涼しくするため着衣数を減らしかつ単品生地を薄く軽くして涼感を感じられる定型の製法で縫製されていた。気温上昇が顕著になる中自然に更に涼感が得られる事が要求されていた。
【発明の開示】
【発明が解決しようとする課題】
【０００３】  解決しようとする問題点は、従来の夏用の上着においては涼感を求めての体感温調整方法は、一般的に着用物の生地を薄手にそして半袖にする方法及び皮膚の露出部分を多くする方法に限られていた。
本発明は、以上のような欠点をなくす為になされたものである。
【課題を解決するための手段】
【０００４】  本発明は、従来の夏用上着の形状を変更することなく、肩首周り（１）と腰周り（２）の一定部分の生地をメッシュ生地に置換えることで、腰周りの上着生地と肌の隙間から外気を取入れて体温で温まった着衣内の空気を肩首周りから排出出来るという，自然循環方式を取入れたことを最も主要な特徴とする。
【発明の効果】
【０００５】  本発明の涼風仕立上着は、着衣内面と肌面に通気の自然循環を促すことを利用することにより着ながらにして外気を取入れ，その外気が上着生地の内面と皮膚面との隙間部分で体熱により上昇するが，その暖められ上昇する暖かい空気を肩首周り部分から排気することで、これまでに加え更に涼感を得られるという利点がある。
【発明を実施するための最良の形態】
【０００６】  以下、本発明を実施するための最良の形態について説明する。
涼風仕立上着は、従来のカッターシャツやスポーツシャツ類の肩首周り部分（１）及び腰周り部分（２）を、夏用背広上着に類する物は肩首周り部分（１）をメッシュ生地に置換え縫製する。
本発明は、以上のような構造である。
これを使用するときは、少しゆとりのあるサイズの上着を通常と変わることなく着用すれば、その涼感の効果はその時点から自然に得られることになる。
【図面の簡単な説明】
【０００７】
【図１】  本発明の斜視図である。
【図２】  本発明の正面図である。
【図３】  本発明の側面図である。
【図４】  本発明の背面図である。
【符号の説明】
【０００８】  １、肩首メッシュ生地部
２、腰周りメッシュ生地部
【図１】
2010018938.tif 000003
【図２】
2010018938.tif 000004
【図３】
2010018938.tif 000005
【図４】
2010018938.tif 000006
(57)【要約】【課題】熟練を要する成人女性用着物の着付けを、短時間で着付け可能にする簡単着付けの着物を提供する。【解決手段】成人女性用着物に、前もって上半身に余裕を持たせた位置にはしょり部を設け、はしょり部と身頃の間にベルトを収納したことを特徴とする着付けが簡単にできる着物。【選択図】図１
2010018934.tif 000002
【特許請求の範囲】
【請求項１】
成人女性用着物に、前もって上半身に余裕を持たせた位置に  はしょり部を設け、はしょり部と身頃の間にベルトを収納したことを特徴とする着付けが簡単にできる着物。
【発明の詳細な説明】
【技術分野】
【０００１】  本発明は着物の着付けの技術がなくても容易に短時間で着付けることができる成人女性用の着物のに関するものである。
【背景技術】
【０００２】  従来、着物の着付けは、ある程度の経験か一定期間の技術習得がなければ難しく現代女性にとって着物離れの要因のひとつとなっていた。
着付けを容易にする為、二部式着物にしたり、腰揚げをして衿先に紐を取付けたりおはしょりを別に作り、あとからそれを腰に巻きつける方法などがある。
【発明が解決しようとする課題】
【０００３】  従来より、次のような問題点があった。
（イ）腰揚げ式や衿先に紐を取付ける方式のものは、腰部分での嵩張り、衿の衣紋が抜けない、腕の動きが制約される、着くずれをおこしやすく着心地が悪い、畳みにくい、などの欠点があった。
（ロ）二部式のものは呉服生地を上半身と下半身に切り離して仕立てるものであり高価な呉服生地を切断することに消費者の抵抗感があり、あまり普及していない。
本発明は以上の問題点を解決しようとするものである。
【問題を解決する為の手段】
【０００４】  成人女性用着物に、前もって上半身に余裕を持たせた位置に  はしょり部を設け、はしょり部と身頃の間にベルトを収納したことを特徴とする着付けが簡便にできる着物である。
【発明の効果】
【０００５】  本発明は、着物を上半身と下半身に切り離すことなく、仕立てる際に着物に前もって上半身に余裕を持たせた位置におはしょりを作っておき、身頃とおはしょりの間に独立したベルトを特徴ある方法で装着することにより、洋服のロングコートを着る感覚で着付けることができる。
おはしょりの起点は、上半身の動きやすさを考慮した位置にあり又、表生地のみに作る為、腰部での嵩張り感もなく動きやすく、着くずれしにくい。
通常通り畳むことも可能である。
【発明を実施する為の最良の形態】
【０００６】以下、本発明の実施の形態を説明する。
（イ）おはしょりの起点（１）を決める。この起点から裾までは実寸、肩までの寸法は実寸に約５センチを加え上半身の余裕とする。
（ロ）表生地の身頃の素縫いの段階でおはしょりを作る。
表・裏両身頃の脇縫いの時、ベルト（２）の通る位置に縫い残し穴を作る。
左脇側は、身頃のおはしょりの起点の下（３）、右脇側は、おはしょり自体（４）に作る。
（ハ）仕上がった着物にベルト吊りを付ける。左前身頃の裏側のベルトの通る位置（５）、後身頃の表側・背縫い部分・おはしょりと身頃の間のベルトの通る位置（６）。
（ニ）仕上がった着物にマジックテープを付ける。対の片方（Ａ−１）を左脇の裏側身ヤツ口の下（７）に付け、片方（Ａ−２）は右前身頃の表側・衿先（８）に付け、対になるようにする。右脇の表側のおはしょりのベルトの通る穴の横（９）に対の片方（Ｂ−１）を付け、左前身頃の衿先の裏側（１０）に片方（Ｂ−２）を付け、対になるようにする。
（ホ）ベルト（２）を通す。後身頃では身頃とおはしょりの間のベルト吊り（６）に通し、片方は左脇の穴（３）から裏側へ出し、左前身頃の裏側に付いているベルト吊り（５）に通す。片方は右脇のおはしょりの穴（４）から表側に出す。
（ヘ）ベルトの素材として薄くて張りのあるスベリのよいものを選択する。
本発明は、以上の構成よりなっている。
本発明による着物の着付け方法は、以下の通りである。
（１）着物をはおり、左脇の裏側についているマジックテープ（７）（Ａ−１）に右前身頃の表側衿先についているマジックテープ（８）（Ａ−２）を留める。右前身頃の立褄・裾が、吊り上がるように位置が決まっている。
（２）右の脇から出ているベルト（２）と左の脇から出ているベルトの端を持ち、裾全体を約５センチ吊り上げて裾線の位置を好みの位置にあわせる。着丈は上半身の動きやすさと衣紋を抜く為に、全体で約５センチ実寸より長く仕立てあるので、この範囲内で裾の位置を決める。裾の位置が決まったらベルトを留める。
（３）ベルトを締めた時に、後身頃と右前身頃に出来る締めジワをならしておく。
（４）左前身頃の衿先の裏側についているマジックテープ（１０）（Ｂ−２）を、右脇の表側のおはしょりのベルトの通る穴の横についているマジックテープ（９）（Ｂ−１）に留める。肩山とベルトの間に約５センチのゆるみが出来ているので、これをおはしょりの上部に沿うようにする。
（５）衣紋を抜き衿元を整えた後、伊達締め・帯を締める。
【図面の簡単な説明】
【０００７】
【図１】本発明の斜視図    全体図
【図２】本発明の分解斜視図    右身頃  表側
【図３】本発明の分解斜視図    右身頃  裏側
【図４】本発明の分解斜視図    左身頃  表側
【図５】本発明の分解斜視図    左身頃  裏側
【符号の説明】
【０００８】  １  おはしょりの起点
２  ベルト
３  縫い残し穴（左）
４  縫い残し穴（右）
５  ベルト吊り（１）
６  ベルト吊り（２）
７  マジックテープ（Ａ−１）
８  マジックテープ（Ａ−２）
９  マジックテープ（Ｂ−１）
１０  マジックテープ（Ｂ−２）
１１  右袖
１２  フック
１３  おはしょり下部
１４  右衽
１５  右前身頃
１６  右後身頃
１７  長さ調整具
１８  右掛衿
１９  右地衿
【図１】
2010018934.tif 000003
【図２】
2010018934.tif 000004
【図３】
2010018934.tif 000005
【図４】
2010018934.tif 000006
【図５】
2010018934.tif 000007
(57)【要約】【課題】従来のキャスター付収納箱は一体型である為、梱包材料の容積が大きい。又流通面で輸送量のコストアップにつながっていた。【解決手段】前板２、側板３、底板４、背板５と構成部材を分割させ、分割した各部材の組み立てを容易にしたキャスター付収納箱【選択図】図１
2010018341.tif 000002
【特許請求の範囲】
【請求項１】
箱を構成する各パーツを組み立て式にした組み立て簡易型キャスター付収納箱
【発明の詳細な説明】
【技術分野】
【０００１】この発明は販売用商品等を保管・収納しておく為のキャスター付収納箱に関するものである。
【背景技術】
【０００２】従来のキャスター付収納箱は一体形状の箱であった。
【発明の開示】
【発明が解決しようとする課題】
【０００３】上記一体型の箱の課題
（イ）その箱を販売しようとする時にダンボール等で梱包してトラック便などで輸送している。そのダンボール等の梱包材料も一体式の物は容積も大きく、又輸送中の箱の変形等を防ぐ特殊な梱包方法が必要な為梱包材料の原価高となっていた。
（ロ）収納箱全体の容積が大きい為トラック等での流通に於いて一回に輸送する収納箱の数量が限られていた。
【課題を解決する為の手段】
【０００４】本発明のキャスター付収納箱を構成する為の部材を前板、側板、背板、底板と４つの部材で構成し、それぞれの部材の組み立てを簡易化した。
【発明の効果】
【０００５】以上の組み立てを簡易化したための効果
（イ）従来の一体型収納箱に比べて梱包形体が約四分の一になる為、流通に於いて一回当たりの輸送できる収納箱の数量が約４倍になり、輸送原価の低減を実現した。
（ロ）組み立て方式にした為、梱包形体が一体式に比べ約四分の一になり、それに伴なって梱包材料の減少化に繋がる。更にダンボール等を使った場合はその減少によりエコの推進にも大きな効果が得られる。
【発明を実施する為の最良の形態】
【０００６】（イ）前板２に側板３を図の様に少し傾斜させ、側板の爪３ａを前板２の爪３と勘合させる。穴２ａに差し込み矢印Ｚ方向に少し回転させてセットする。
（ロ）（イ）で組み付けた前板２及び側板３を底板４の前面下部に勘合させる為少し前方向に傾斜させ底板４の前面下部に勘合させ底板の側にある溝４ａに側板３をはめ込む。その時に溝４ａに設けてあるはめ合い部４ｂに側板３のはめ合い部３ｂがはまり込み一定形状を保つ。
（ハ）（ロ）で組み付けた前板２、側板３、底板４に背板５をＹ方向から側板３後部の勘合部３ｃ及び底板のはめ合い部４ｂに背板のはめ合い部５をはめ込み組み立てを完成する。
【図面の簡単な説明】
【０００７】
【図１】  本発明の斜視図
【図２】  前板２と側板３の組み付け図（側板３は対称形状の右用と左用あり）
【図３】  Ａ−Ａ′断面図
【図４】  図２で組み付けた前板２、側板３を底板４に組み付ける図
【図５】  図４で組み付けた前板２、側板３、底板４に背板５を組み付ける図
【図６】  Ｂ−Ｂ′断面図
【図７】  ３ｂ，５ａと４ｂのはめ合い部断面を示す図
【図８】  Ｃ−Ｃ′断面図
【図９】  Ｄ−Ｄ′断面図
【符号の説明】
１    収納箱
２    前板
２ａ  勘合用の穴
３    側板
３ａ  勘合用の爪
３ｂ  はめ合い部
３ｃ  勘合部
４    底板
４ａ  底板の溝
４ｂ  はめ合い部
５    背板
５ａ  はめ合い部
【図１】
2010018341.tif 000003
【図２】
2010018341.tif 000004
【図３】
2010018341.tif 000005
【図４】
2010018341.tif 000006
【図５】
2010018341.tif 000007
【図６】
2010018341.tif 000008
【図７】
2010018341.tif 000009
【図８】
2010018341.tif 000010
【図９】
2010018341.tif 000011